(57)【要約】      （修正有）【課題】破損した茄子鐶を交換する際に掛かる手間を軽減し、ホルターを使用する馬に応じた長さ調整ができるホルターを提供する。【解決手段】顎テープの両端部が重なるように一端部と他端部を内方へ折り畳み、基部と一端部、他端部のそれぞれの接合面にファスナーを設け、基部と一端部との折り曲げ部に茄子鐶を設け、基部と他端部との折り曲げ部に首テープ端部の円形の金属環を装着可能とし、基部中央に孔を設け、孔に対応する一端部と他端部の箇所にそれぞれ孔を設け、一端部と他端部の孔から所定距離を隔てた箇所にそれぞれ調整孔を設け、中央に位置決め突起を突設した円弧板を設け、円弧板の突起を基部の孔、一端部の孔、調整孔、他端部の孔、調整孔に挿入させて顎テープの長さを調整可能としたホルターの顎テープとした。【選択図】図４
0003134690.tif 000002
【実用新案登録請求の範囲】
【請求項１】
両端に円形金属リングを備えた首テープと、両端に角状金属リングを備えた鼻テープと、前記首テープの円形金属リングと鼻テープの角状金属リングとを連結する連結テープと、前記首テープの両端の円形金属リングを連結する顎テープと、鼻テープ両端の角状金属リングと下部円形金属リングとを連結する連結テープと、下部円形金属リングと顎テープとを連結する中央連結テープとよりなるホルターにおいて、顎テープの両端部が重なるように一端部と他端部を内方へ折り畳み、基部と一端部、他端部のそれぞれの接合面にファスナーを設け、前記基部と一端部との折り曲げ部に茄子鐶を設け、前記基部と他端部との折り曲げ部に前記首テープ端部の円形の金属環を装着可能とし、前記基部中央に孔を設け、前記孔に対応する一端部と他端部の箇所にそれぞれ孔を設け、一端部と他端部の孔から所定距離隔てた箇所にそれぞれ調整孔を設け、中央に位置決め突起を突設した円弧板を設け、円弧板の突起を基部の孔、一端部の孔、調整孔、他端部の孔、調整孔に挿入させて顎テープの長さを調整可能としたホルターの顎テープ。
【考案の詳細な説明】
【技術分野】
【０００１】
本考案は、ホルターの顎テープに関するものである。
【０００２】
ホルターとは、騎乗する際、馬の頭に取付けるもので、その顎テープについてのものである。
【背景技術】
【０００３】
図１に、従来のホルターを馬に取付けた斜視図を、図２に馬を除いた状態のホルターの斜視図を、図３に顎テープの斜視図をそれぞれ示す。
【０００４】
図１、図２の従来のホルターの斜視図は、両端に円形金属リング１・２を備えた首テープ３と、両端に角状金属リング４・５を備えた鼻テープ６と、前記首テープ３の円形金属リング１・２と鼻テープ６の角状金属リング４・５とを連結する連結テープ７・８と、前記首テープ３の円形金属リング１・２を連結する顎テープ９と、鼻テープ６両端の角状金属リング４・５と、下部円形金属リング１０とを連結する連結テープ７・８と、下部円形金属リング１０と顎テープ９とを連結する中央連結テープ１３とよりなるホルターである。
【０００５】
従来の顎テープ９は、図３に示すように、一方端の折り曲げ部に茄子鐶１４が設けられ、他方端の折り曲げ部には円形金属リング１が設けられ、顎テープ９の中央には下部円形金属リング１０に連結された中央連結テープ１３が設けられている。
【０００６】
この茄子鐶１４は顎テープ９の端部に縫製１５により取付けられている。
【０００７】
茄子鐶１４は、ホルターを使用する際、頻繁に着脱されるため、破損し、交換することが多い。
【０００８】
交換するには、茄子鐶１４を顎テープ９の端部から縫製１５をほどいて外し、新たな茄子鐶１４を取付け、再度縫製１５するという大変手間がかかるものであった。
【０００９】
また、現在の顎テープ９は長さが一定であるので、ホルターを使用する馬の頭が、大きい馬の時や、小さい馬の時など、個々の馬によっての長さの調整が不可能であった。
【特許文献１】特開平１−０９７４９４号
【考案の開示】
【考案が解決しようとする課題】
【００１０】
破損した茄子鐶を交換するには、茄子鐶を顎テープの端部から縫製をほどいて外し、新たな茄子鐶を取付け、再度縫製するという大変手間がかかるものであり、また、現在の顎テープは長さが一定であるので、ホルターを使用する馬の頭が、大きい馬の時や、小さい馬の時など、個々の馬によっての長さの調整が不可能であった。
【課題を解決するための手段】
【００１１】
そこで、本考案は、上記の事情に鑑み、破損した茄子鐶を交換する際に掛かる手間を軽減し、またホルターを使用する馬に応じた長さ調整ができるホルターを提供すべく、両端に円形金属リングを備えた首テープと、両端に角状金属リングを備えた鼻テープと、前記首テープの円形金属リングと鼻テープの角状金属リングとを連結する連結テープと、前記首テープの両端の円形金属リングを連結する顎テープと、鼻テープ両端の角状金属リングと下部円形金属リングとを連結する連結テープと、下部円形金属リングと顎テープとを連結する中央連結テープとよりなるホルターにおいて、顎テープの両端部が重なるように一端部と他端部を内方へ折り畳み、基部と一端部、他端部のそれぞれの接合面にファスナーを設け、前記基部と一端部との折り曲げ部に茄子鐶を設け、前記基部と他端部との折り曲げ部に前記首テープ端部の円形の金属環を装着可能とし、前記基部中央に孔を設け、前記孔に対応する一端部と他端部の箇所にそれぞれ孔を設け、一端部と他端部の孔から所定距離隔てた箇所にそれぞれ調整孔を設け、中央に位置決め突起を突設した円弧板を設け、円弧板の突起を基部の孔、一端部の孔、調整孔、他端部の孔、調整孔に挿入させて顎テープの長さを調整可能としたホルターの顎テープとした。
【考案の効果】
【００１２】
本考案は、両端に円形金属リングを備えた首テープと、両端に角状金属リングを備えた鼻テープと、前記首テープの円形金属リングと鼻テープの角状金属リングとを連結する連結テープと、前記首テープの両端の円形金属リングを連結する顎テープと、鼻テープ両端の角状金属リングと下部円形金属リングとを連結する連結テープと、下部円形金属リングと顎テープとを連結する中央連結テープとよりなるホルターにおいて、顎テープの両端部が重なるように一端部と他端部を内方へ折り畳み、基部と一端部、他端部のそれぞれの接合面にファスナーを設け、前記基部と一端部との折り曲げ部に茄子鐶を設け、前記基部と他端部との折り曲げ部に前記首テープ端部の円形の金属環を装着可能とし、前記基部中央に孔を設け、前記孔に対応する一端部と他端部の箇所にそれぞれ孔を設け、一端部と他端部の孔から所定距離隔てた箇所にそれぞれ調整孔を設け、中央に位置決め突起を突設した円弧板を設け、円弧板の突起を基部の孔、一端部の孔、調整孔、他端部の孔、調整孔に挿入させて顎テープの長さを調整可能としたホルターの顎テープであるので、破損した茄子鐶を交換する際にかかる手間を軽減し、またホルターを使用する馬に応じた長さ調整ができるホルターを提供できる。
【考案を実施するための最良の形態】
【００１３】
本考案は、両端に円形金属リングを備えた首テープと、両端に角状金属リングを備えた鼻テープと、前記首テープの円形金属リングと鼻テープの角状金属リングとを連結する連結テープと、前記首テープの両端の円形金属リングを連結する顎テープと、鼻テープ両端の角状金属リングと下部円形金属リングとを連結する連結テープと、下部円形金属リングと顎テープとを連結する中央連結テープとよりなるホルターにおいて、顎テープの両端部が重なるように一端部と他端部を内方へ折り畳み、基部と一端部、他端部のそれぞれの接合面にファスナーを設け、前記基部と一端部との折り曲げ部に茄子鐶を設け、前記基部と他端部との折り曲げ部に前記首テープ端部の円形の金属環を装着可能とし、前記基部中央に孔を設け、前記孔に対応する一端部と他端部の箇所にそれぞれ孔を設け、一端部と他端部の孔から所定距離隔てた箇所にそれぞれ調整孔を設け、中央に位置決め突起を突設した円弧板を設け、円弧板の突起を基部の孔、一端部の孔、調整孔、他端部の孔、調整孔に挿入させて顎テープの長さを調整可能としたホルターの顎テープである。
【００１４】
本考案は、顎テープ２１の両端部が重なるように、基部２２に連なる一端部２３と他端部２４を内方へ折り畳む。基部２２と一端部２３、他端部２４のそれぞれの接合面にファスナー（「マジックテープ」（株）クラレの登録商標）２５・２６・２７・２８を縫製により固着する。前記基部２２と一端部との折り曲げ部に茄子鐶１４を設ける。前記基部２２と他端部２８との折り曲げ部に、前記首テープ端部３の円形金属環１を装着可能とする。前記基部２２中央に孔２９を設け、前記孔２９に対応する一端部２３と他端部２４  の箇所にそれぞれ孔３０・３１を設ける。一端部２３と他端部２４の孔３０・３１から所定距離Ｌ隔てた箇所にそれぞれ調整孔３２・３３を設ける。中央に位置決め突起３４を突設した円弧板３５を設け、円弧板３５の突起３４を基部２２の孔２９、一端部の孔３０、調整孔３２、他端部２４の孔３１、調整孔３３に挿入させて顎テープ２１の長さを調整可能とする。
【００１５】
この顎テープ２１の基部２２、一端部２３、他端部２４は従来の中央連結テープ１３と同様にして折り曲げ部（図示せず）で保持させる。
【００１６】
顎テープ２１の長さの調整は、円弧板３５の突起３４に基部２２の孔２９、一端部２３の調整孔３２、他端部２４の孔３１を挿入した際が最短の長さで、円弧板３５の突起３４に基部２２の孔２９、一端部２３の孔３０、他端部２４の孔３１を挿入した際が２番目の長さで、円弧板３５の突起３４に基部２２の孔２９、一端部２３の孔３０、先端部２４の調整長孔３３に挿入した際は最長の長さで、顎テープ２１は３段階の長さに調整できる。
【産業上の利用可能性】
【００１７】
本考案は、顎テープの茄子鐶の取替えを簡単にし、不可能だった長さ調整を可能にしたが、ホルターの首テープ、鼻テープにも利用できる。
【図面の簡単な説明】
【００１８】
【図１】従来のホルターを馬に取付けた状態の斜視図である。
【図２】図１から馬を除いた状態のホルターの斜視図である。
【図３】従来のホルターの顎テープの斜視図である。
【図４】本考案のホルターの顎テープの斜視図である。
【符号の説明】
【００１９】
１・２…円形金属リング
３…首テープ
４・５…角状金属リング
６…鼻テープ
２１…顎テープ
１０…下部円形リング
７・８…連結テープ
１３…中央連結テープ
２３…一端部
２４…他端部
２２…基部
２５・２６・２７・２８…ファスナー
１４…茄子鐶
１…円形の金属環
２９…孔
３０…孔
３２…調整孔
３３…調整孔
３４…突起
３５…円弧板
【図１】
0003134690.tif 000003
【図２】
0003134690.tif 000004
【図３】
0003134690.tif 000005
【図４】
0003134690.tif 000006